(57)【特許請求の範囲】
【請求項１】
遊技者が遊技する遊技機側から出力される遊技信号により特定される遊技情報であって、遊技者が消費した遊技価値であるアウト、入賞に応じて遊技者に付与された遊技価値であるセーフ、遊技機の遊技状態、及び大当りの発生を少なくとも含む遊技情報を特定すると共に、その特定した遊技情報により成立する予め設定される連荘終了条件が成立したことを特定する遊技情報特定手段と、
前記遊技情報特定手段により特定される遊技情報により、大当りが発生した期間である大当り期間における前記セーフである大当りセーフを特定可能な大当りセーフ情報と、前記大当り期間における前記セーフと前記アウトの差である大当り獲得価値を特定可能な大当り獲得価値情報と、を管理する遊技情報管理手段と、
前記遊技情報特定手段による特定結果により、遊技機の通常状態において大当りが発生してから前記連荘終了条件が成立するまでの期間である連荘期間を特定する一方、同一の連荘期間に発生した大当りを特定する連荘特定手段と、
前記大当りセーフ情報が予め設定される上級範囲に属する大当りを上級大当りとする一方、前記連荘期間中に予め設定される上級特定数分の前記上級大当りを特定した場合に、当該連荘期間に発生した大当りを、一般の遊技者が行う遊技方法とは異なる遊技方法の遊技者により遊技された大当りである第１大当りとし、それ以外の大当りである第２大当りと区分けする大当り区分手段と、
前記大当り区分手段により区分けされた前記第１大当り、及び前記第２大当りの内、少なくとも一方の大当りを対象として、前記遊技情報管理手段により管理される前記大当り獲得価値情報を抽出する抽出手段と、
前記抽出手段により抽出された大当り獲得価値情報により特定される大当り１回の前記大当り獲得価値の平均値を出力する出力手段と、
を備えたことを特徴とする遊技情報管理システム。
【請求項２】
前記大当り区分手段は、前記連荘期間中に前記上級特定数分の前記上級大当りを特定した場合であっても、当該連荘期間に発生した大当りの内、前記大当りセーフ情報が予め設定される一般範囲に属する大当りについては前記第２大当りとして区分けすることを特徴とする請求項１記載の遊技情報管理システム。
【請求項３】
前記遊技機は、大当り中に開放する大入賞口を有し、当該大入賞口が開放する１単位であるラウンドの数、及び当該ラウンドにおいて大入賞口が開放する期間の少なくとも一方が、抽選により振分けられることで、通常大当りと、当該通常大当りよりも前記大当り獲得価値の期待値が多い特別大当りとに大当りを振分けて実行可能であり、
前記遊技情報特定手段は、前記遊技機から出力される前記通常大当りと、前記特別大当りとを特定可能な遊技信号により、発生した大当りが前記通常大当りなのか、前記特別大当りなのかを特定し、
前記上級範囲は、前記特別大当り、及び前記通常大当りの一方に対応して設定され、
前記大当り区分手段は、前記上級範囲が設定されない大当りが前記第１大当りであるか前記第２大当りであるかを、当該大当りが発生した連荘期間に発生した前記上級範囲が設定される大当りについて、前記上級特定数分の前記上級大当りを特定するか否かにより区分けし、
前記出力手段は、前記通常大当りと前記特別大当りとの内、少なくとも一方を対象として前記大当り獲得価値の平均値を出力することを特徴とする請求項１又は２記載の遊技情報管理システム。
【請求項４】
前記出力手段は、大当り区分手段により区分けされた前記第１大当り、或いは前記第２大当りが、その第１大当り、及び第２大当りを含む全体の大当りに占める割合を特定可能な割合情報を、前記大当り獲得価値の平均値と比較可能に出力することを特徴とする請求項１ないし３の何れかに記載の遊技情報管理システム。
【請求項５】
前記大当り区分手段により前記上級大当りが特定された場合に、その旨を報知する報知手段を備えたことを特徴とする請求項１ないし４の何れかに記載の遊技情報管理システム。
【発明の詳細な説明】
【技術分野】
【０００１】
本発明は、遊技者が大当り中の獲得価値を通常の遊技よりも多くなるような遊技が可能な遊技機を管理するのに好適な遊技情報管理システムに関する。
【背景技術】
【０００２】
パチンコ機等の遊技機が設置される遊技場を管理する場合、大当り中の出玉（Ｔ１Ｙ）を管理することは非常に重要であり、従来は、特許文献１のように発生した大当り全てを対象としてＴ１Ｙを管理していた。
Ｔ１Ｙは大当り中の払出玉（セーフ）と消費玉（アウト）との差であるため、セーフとアウトのいずれか一方が変化すればＴ１Ｙも変化する。そして、遊技場ではセーフをほぼ一定（ラウンド終了条件となる大入賞口への入賞分のセーフ）とする一方、アウトを調整することでＴ１Ｙを調整している。
【先行技術文献】
【特許文献】
【０００３】
【特許文献１】特開２０００−１４０３６５号公報
【発明の概要】
【発明が解決しようとする課題】
【０００４】
しかしながら、近年は大当り中にスムーズに遊技を行うことを目的として、大入賞口を盤面の右側に配置し、大当り中は釘の影響が少ない盤面の右側を狙い撃ちする所謂右打ちを行う遊技機が主流を占めている。そして、この右打ちを行う遊技機に対して、大入賞口への入賞数がラウンド終了条件となる大入賞口への入賞数よりも多くなる所謂オーバーフローを狙ったひねり打ちと呼ばれる攻略法を行ってオーバーフローを発生させ、大入賞口への入賞数を増やし、セーフを多くする遊技者が多くなっている。このため、Ｔ１Ｙを単純に管理するだけでは、遊技者が攻略を行ってＴ１Ｙが多くなっているのか、釘調整が甘いことでＴ１Ｙが多くなっているのかを把握することや攻略法を行う遊技者の技術レベルの把握等が難しくなってきている。
本発明は上記事情に鑑みてなされたもので、その目的は、遊技者が大当り中の獲得価値を通常の遊技よりも多くなるような遊技を行った場合であっても、適切に大当り中の出玉を管理し得る遊技情報管理システムを提供することにある。
【課題を解決するための手段】
【０００５】
本発明は、遊技者が遊技する遊技機側から出力される遊技信号により特定される遊技情報であって、遊技者が消費した遊技価値であるアウト、入賞に応じて遊技者に付与された遊技価値であるセーフ、遊技機の遊技状態、及び大当りの発生を少なくとも含む遊技情報を特定すると共に、その特定した遊技情報により成立する予め設定される連荘終了条件が成立したことを特定する遊技情報特定手段と、前記遊技情報特定手段により特定される遊技情報により、大当りが発生した期間である大当り期間における前記セーフである大当りセーフを特定可能な大当りセーフ情報と、前記大当り期間における前記セーフと前記アウトの差である大当り獲得価値を特定可能な大当り獲得価値情報と、を管理する遊技情報管理手段と、前記遊技情報特定手段による特定結果により、遊技機の通常状態において大当りが発生してから前記連荘終了条件が成立するまでの期間である連荘期間を特定する一方、同一の連荘期間に発生した大当りを特定する連荘特定手段と、前記大当りセーフ情報が予め設定される上級範囲に属する大当りを上級大当りとする一方、前記連荘期間中に予め設定される上級特定数分の前記上級大当りを特定した場合に、当該連荘期間に発生した大当りを、一般の遊技者が行う遊技方法とは異なる遊技方法の遊技者により遊技された大当りである第１大当りとし、それ以外の大当りである第２大当りと区分けする大当り区分手段と、前記大当り区分手段により区分けされた前記第１大当り、及び前記第２大当りの内、少なくとも一方の大当りを対象として、前記遊技情報管理手段により管理される前記大当り獲得価値情報を抽出する抽出手段と、前記抽出手段により抽出された大当り獲得価値情報により特定される大当り１回の前記大当り獲得価値の平均値を出力する出力手段と、を備えたものである（請求項１）。
【０００６】
請求項１記載の遊技情報管理システムにおいて、
前記大当り区分手段は、前記連荘期間中に前記上級特定数分の前記上級大当りを特定した場合であっても、当該連荘期間に発生した大当りの内、前記大当りセーフ情報が予め設定される一般範囲に属する大当りについては前記第２大当りとして区分けするようにしてもよい（請求項２）。
【０００７】
請求項１又は２記載の遊技情報管理システムにおいて、
前記遊技機は、大当り中に開放する大入賞口を有し、当該大入賞口が開放する１単位であるラウンドの数、及び当該ラウンドにおいて大入賞口が開放する期間の少なくとも一方が、抽選により振分けられることで、通常大当りと、当該通常大当りよりも前記大当り獲得価値の期待値が多い特別大当りとに大当りを振分けて実行可能であり、前記遊技情報特定手段は、前記遊技機から出力される前記通常大当りと、前記特別大当りとを特定可能な遊技信号により、発生した大当りが前記通常大当りなのか、前記特別大当りなのかを特定し、前記上級範囲は、前記特別大当り、及び前記通常大当りの一方に対応して設定され、前記大当り区分手段は、前記上級範囲が設定されない大当りが前記第１大当りであるか前記第２大当りであるかを、当該大当りが発生した連荘期間に発生した前記上級範囲が設定される大当りについて、前記上級特定数分の前記上級大当りを特定するか否かにより区分けし、前記出力手段は、前記通常大当りと前記特別大当りとの内、少なくとも一方を対象として前記大当り獲得価値の平均値を出力するようにしてもよい（請求項３）。
【０００８】
請求項１ないし３の何れかに記載の遊技情報管理システムにおいて、
前記出力手段は、大当り区分手段により区分けされた前記第１大当り、或いは前記第２大当りが、その第１大当り、及び第２大当りを含む全体の大当りに占める割合を特定可能な割合情報を、前記大当り獲得価値の平均値と比較可能に出力するようにしてもよい（請求項４）。
【０００９】
請求項１ないし４の何れかに記載の遊技情報管理システムにおいて、
前記大当り区分手段により前記上級大当りが特定された場合に、その旨を報知する報知手段を備えるようにしてもよい（請求項５）。
【発明の効果】
【００１０】
請求項１の発明によれば、大当り区分手段により、第１大当りと第２大当りとを区分けして大当り獲得価値を特定するので、所謂ひねり打ち等の一般の遊技者が行う遊技方法とは異なる遊技方法（攻略法）により大当りが遊技された場合であっても、一般の遊技者が遊技した場合、或いは攻略法により遊技した場合における大当り獲得価値を管理出来、攻略を行って大当り獲得価値が多くなっているのか、釘調整が甘いことで大当り獲得価値が多くなっているのかや、攻略法を行った場合の遊技者の技術レベル等を容易に特定出来る。この場合、上級大当りだけでなく遊技者の交替が想定し難い連荘中の他の大当りも第１大当りとして判定することから、例えば一般の遊技者が偶々オーバーフローを発生させた場合と、攻略を行ったが上手くいかなかった場合とを区分けして管理し得るようになり、その精度を高めることが可能となる。
【００１１】
請求項２の発明によれば、攻略法を行う遊技者も毎回攻略法を行うとは限らないが、連荘中に攻略法を実践するか否かを区分け出来るので、その判定精度がより高まる。
請求項３の発明によれば、遊技機が抽選により大当りを振分ける場合、その振分けた大当り全てに対して上級範囲を設定すると設定が煩雑となるばかりか、例えば大当り獲得価値の少ない大当りについては、その獲得価値が少ないことから判定精度が落ちたり、発生頻度の少ない大当りについては連荘中に一度も発生しない等、判定精度が落ちる虞がある。しかしながら、一方に対応して上級範囲が設定されることから煩雑な設定を行う必要なく、判定精度を保つことが可能となる。
請求項４の発明によれば、割合情報により、どの程度、攻略法による遊技が行われたかを把握した上で、大当り獲得価値を参照することが可能となる。
請求項５の発明によれば、攻略法を禁止する運用を遊技場が行った場合に、攻略法を行ったことを把握可能となり、その運用を適切にサポート可能となる。
【図面の簡単な説明】
【００１２】
【図１】本発明の一実施形態における遊技場用管理システムの全体構成を概略的に示す図
【図２】遊技機の正面図
【図３】出玉分布設定を示す図
【図４】大当り毎の遊技履歴を示す図
【発明を実施するための形態】
【００１３】
以下、本発明の一実施形態について、図面を参照して説明する。
図１は遊技場用管理システムの全体構成を概略的に示している。遊技場には遊技機（パチンコ機）１に対応して貸出機２が設置されている。２台の遊技機１及び２台の貸出機２は１台の中継装置３に接続されており、中継装置３はＬＡＮ４を介して遊技場内の管理室に設置された管理装置５（遊技情報特定手段、遊技情報管理手段、連荘特定手段、大当り区分手段、抽出手段、出力手段、報知手段に相当）に接続されている。ＬＡＮ４には島端計数機（図示せず）やＰＯＳ端末（図示せず）も接続されている。尚、図１では省略しているが、数百台の遊技機１が管理装置５の管理対象となる。本実施形態では上記したように遊技機としてパチンコ機を想定していることから、遊技媒体（遊技価値）としてパチンコ玉を想定している。
【００１４】
図２は遊技機１の正面図である。遊技機１は、発射装置を構成する操作ハンドル６を有すると共に、盤面７に、普図入賞口８、第１始動口９、第２始動口１０、表示役物１１の主体をなす液晶表示部１１ａ、入賞口１２、大入賞口１３等を有する。
遊技機１は以下のように動作する。
第１始動口９又は第２始動口１０への入賞に応じて大当り抽選を行い、抽選結果に基づき所謂特別図柄（特図）による図柄変動を表示部にて実行し、その結果に応じて大当りを発生させる。尚、所謂保留玉の上限数は合計４個で、保留中に始動入賞した場合は上限まで保留し、図柄変動終了後に順次保留した図柄変動を実行する。
【００１５】
第１始動口９は入賞率が変動しない所謂ヘソタイプの入賞口である一方、第２始動口１０は普図抽選によって入賞率が変動する所謂電チュータイプの入賞口である。
大当り抽選の当選確率（大当り確率）は１／３００で、大当りの内、大当り後に確変状態（確変）となる大当りの割合は６６．６％（２／３）であり、大当りが発生すると対応するラウンド数（Ｒ）に応じた分だけ大入賞口１３を開放する。尚、１Ｒの上限入賞数（上限数）は９個で、上限開放時間は３０秒であり、上限数又は上限開放時間の何れかが満たされた場合に１Ｒを終了する。
【００１６】
大当りに対応するＲは４Ｒ（通常大当りに相当）と、１６Ｒ（特別大当りに相当）があり、その振分割合は各５０％である。
確変中は大当り確率が１／３０に向上すると共に、第２始動口１０への入賞率が向上する時短状態（時短）になる。尚、確変は次回大当りまで継続するため、大当り後に通常状態（通常）となる大当り（通常大当り）が発生するまで継続し、通常大当りが発生した場合は通常状態へと戻る。
【００１７】
遊技機１からは以下の信号が出力される。
・アウト信号＝使用玉を回収するアウトＢＯＸから出力される使用媒体数（アウト）を特定可能な信号（稼動信号）。回収（使用、打込）玉１０玉に対して１パルスが出力されるので、「アウト信号数×１０」をアウトとして特定。尚、遊技機１から出力される信号でも良い。
・セーフ信号＝遊技機１から出力される払出媒体数（セーフ）を特定可能な信号。払出１０玉に対して１パルスが出力されるので、「セーフ信号数×１０」をセーフとして特定する。尚、補給装置から出力される補給信号をセーフ信号としても良い。
・始動信号＝遊技機１から出力される始動入賞により変動（作動）する液晶表示部１１ａにおけるスタート（図柄変動、役物作動、単位遊技）を特定可能な信号。図柄変動確定時に出力されるので、信号入力に応じて図柄変動を特定する。尚、始動口に入賞したことを示す信号としても良い。
・大当り信号＝遊技機１から出力される大当り期間を特定可能な信号。大当り中にレベル出力される状態信号なので大当り信号受信中を大当り中として特定する。
・特別状態信号＝遊技機１から出力される特別状態（甘中）を特定可能な信号。第２始動口１０の入賞率が向上する特別状態中（時短中）にレベル出力される状態信号なので、特別状態信号受信中を特別状態中として特定する。尚、大当り確率が向上する確変中にレベル出力される状態信号（確変信号）であっても良い。また、大当り信号と特別状態信号のいずれも受信しなくなった場合に連荘終了条件が成立したことを特定すると共に、大当り信号と特別状態信号のいずれも受信していない期間を通常状態として特定する。
【００１８】
次に遊技機１の遊技について説明する。
（一般の遊技方法）
通常状態時は第１始動口９への入賞率の高い左打ちルートＡにより第１始動口９に入賞するよう盤面７の中央よりも左側を玉が通過する強度で玉を発射する左打ちを行う（図２参照）。
一方、大当り時には大入賞口１３への入賞率の高い右打ちルートＢにより大入賞口１３に入賞するよう盤面７の中央よりも右側を玉が通過する強度で玉を発射する右打ちを１Ｒの上限入賞数となるまで行う（図２参照）。
【００１９】
（ひねり打ちによる遊技方法（攻略法））
大入賞口１３の１Ｒの上限入賞数が９個であることから、大当りとなったら上限入賞数よりも１個少ない８個が大入賞口１３に入賞するまで右打ちを行い、その後、図２に示す「ひねり打ちポイント」Ｃの辺りで表示役物１１の上端１１ｂと盤面７上端７ａとの間で玉が転動して留まる程度の強度で玉を発射し、その後、右打ちに戻す。すると、「ひねり打ちポイント」Ｃにて転動して留まっている玉に、その後の玉が追いつき、２つの玉がほぼ同時期に右打ちルートＢを転動し、同時期に大入賞口１３に入賞する。即ち、上限入賞数である９個目の玉の入賞により大入賞口１３が閉鎖する前に、９個目の玉と同時期に右打ちルートＢを転動した１０個目の玉が大入賞口１３に入賞し、上限入賞数よりも多くの玉が入賞するオーバーフローが発生する。これにより、大入賞口１３の入賞数が増え、Ｔ１セーフ（大当り中のセーフ）が「一般の遊技」と比較して多くなる。尚、上記のように発射強度を変える場合に素早くハンドルを操作する様子がハンドルをひねっているように見えるので、このような遊技方法がひねり打ちと呼ばれる。
【００２０】
管理者は、遊技者が上級者かを判断するための出玉分布設定を管理装置５に設定可能となっている。
図３は管理装置５に設定された出玉分布設定を示しており、次の各項目が設定されている。
・台番範囲＝機種に属する台番範囲。
・出玉＝出玉範囲における「出玉」の対象とする遊技情報。セーフと差玉（セーフ−アウト）から選択し、選択した方が「出玉」となる。
・出玉範囲＝機種のスペック等を考慮した大当り時の出玉範囲。２つの出玉範囲が設定可能で、大当りの発生頻度や出玉等を考慮して設定する。尚、重複した範囲も設定可能。また、全ての大当りに対応した範囲を設ける必要は無い。
・上級範囲＝機種のスペック等を考慮した大当り時のセーフ（Ｔ１セーフ）に対する範囲で、この範囲にＴ１セーフが属する大当りが発生した場合に攻略法を行う上級者が遊技した大当り（上級大当り、第１大当りに相当）と判定する。尚、以降も含め機種Ｂのような「−」は攻略法が存在せず、上級者か否かを判定する必要等が無い場合に設定する。
・上級特定＝大当り数に対する設定値で、連荘中に上級大当りが発生した場合に連荘中の他の大当りを上級者が発生させたと判定するための設定値。連荘中に上級大当りをこの設定値以上特定した場合に、その連荘中の他の大当りも上級者が発生させたと判定する。
・一般範囲＝機種のスペック等を考慮したＴ１セーフに対する範囲で、この範囲にＴ１セーフが属する大当り（第２大当りに相当）は攻略法を行わずに遊技したと判定する。
・基準セーフ＝上級者により攻略法が行われた場合でも、その攻略法が行われ無かったとして大当り中の差玉（Ｔ１Ｙ）を演算するための基準値。出玉範囲１と出玉範囲２に対応付けて設定する。
【００２１】
管理装置５は、遊技機１からの遊技信号に基づいて遊技情報を特定して遊技履歴を管理する。
図４は大当り毎の遊技履歴を示しており、次の各項目が設定されている。
・Ｓ＝始動信号により特定される大当りが発生するまでのスタート（図柄変動数）。
・Ｔ１アウト＝大当り中のアウト。尚、アウトとはアウト信号により特定される遊技機１にて消費した遊技媒体数（消費価値）。
・Ｔ１セーフ（大当りセーフ情報に相当）＝大当り中のセーフ。尚、セーフとはセーフ信号により特定される遊技機１への入賞により獲得した遊技媒体数（入賞獲得価値）。
・Ｔ１Ｙ(大当り獲得価値情報に相当)＝大当り中の差玉（セーフ−アウト）。
・振分＝出玉により振分けた大当り区分。出玉が第１範囲に属すれば「１」、第２範囲に属すれば「２」、いずれにも属しなければ「他」。
・技量＝Ｔ１セーフにより振分けた遊技者の技量。攻略法を使っていなければ「一般」、使っていれば「上級」。
・一般Ｔ１Ｙ、上級Ｔ１Ｙ＝技量により振分けた「一般」と「上級」とに区分けして抽出した各々のＴ１Ｙ。尚、「上級大当り」とＴ１セーフが一般範囲に属する大当りとを識別出力している。
・修正Ｔ１Ｙ＝「上級」についてＴ１セーフを基準セーフとして修正したＴ１Ｙ。尚、「一般」については修正対象としない。また、修正した（上級の）Ｔ１Ｙを識別出力。
・第＊範囲、全体＝第＊範囲は振分により振分けた各項目のレコード（大当り）平均と合計で、全体は全ての大当りのレコード平均と合計。尚、振分は対応するレコード（大当り）数を示し、技量は対応する大当りの内、上級と判定した大当りの割合（上級率）を示す。
【００２２】
管理装置５は、上述した（ひねり打ちによる遊技）にて説明した攻略法を遊技者が行ったかをＴ１セーフにより判定する。つまりＴ１セーフが図３の上級範囲に属する大当りを上級大当りとする。
連荘中に上級大当りが１回でもあれば、その連荘中は上級者が遊技したとして図４のように「上級」とするが、Ｔ１セーフが一般範囲に属する大当りは連荘中に上級大当りがあっても「一般」とする。
「上級」と「一般」とに区分けした大当りのＴ１Ｙを各々抽出して、平均値等を図４の通り出力（表示又は印字）する。
Ｔ１セーフを図３の基準セーフとしてＴ１Ｙを修正した修正Ｔ１Ｙを識別出力（図４中に左斜線で示す）する。
【００２３】
機種Ａの具体的な遊技履歴の一例について図４を参照して説明する。管理装置５は、従来同様に「振分」にてラウンド数等による大当りの振分を区分けする一方、Ｔ１セーフが上級範囲に属するか否かにより上級大当りを特定し、攻略法を駆使した上級者による遊技（上級）か否か（一般）を判定している。
ここで、「技量」の特定は連荘単位で行う。即ち、連荘中に遊技者が交替することは想定し難いため、連荘中は１人の遊技者により遊技されていると見做して「技量」を判定する。
【００２４】
本実施形態では、連荘とは通常状態にて大当りが発生してから再び通常状態へと戻るまでとしており、図４では２重線により仕切っている。
連荘中にＴ１セーフが「上級範囲」に属する大当り（上級大当り）が図３の「上級特定」以上発生した場合にはその連荘中の他の大当りも含めて「上級」と判定する。例えばＮＯ．１やＮＯ．６〜８の連荘中では一度も上級大当りが発生していないため、全ての大当りが「一般」と判定される。
【００２５】
一方、ＮＯ．２〜ＮＯ．５における連荘では、ＮＯ．３は上級大当りでないものの、ＮＯ．４が上級大当りであると共に図３の「上級特定」が１のため「上級」に区分けされている。また、「振分」が１となるＮＯ．２は図３にて第１範囲に上級範囲が設定されていないものの、ＮＯ．３の上級大当りにより「上級」に区分けされる。ＮＯ．９〜ＮＯ．１１の連荘も同様に判定されている。尚、上級大当りを識別出力（図中に右斜線で示す）している。
【００２６】
ここで、ＮＯ．５の大当り（第２大当りに相当）は同一連荘中のＮＯ．４が上級大当りであるものの、「一般」と判定している。これは同一の上級者であっても攻略法を選択的に実行する場合を想定しており、Ｔ１セーフが図３の「一般範囲」に属する大当りについては「一般」に区分けし、識別出力（図中に交差線で示す）している。
【００２７】
更にＮＯ．３はＮＯ．７とＴ１セーフが同一であるが、これは上級者が攻略法を大当りの一部だけ実行した又は失敗した場合と、一般の遊技者が遊技した場合に偶々オーバーフローが発生した場合とを想定している。即ち、ＮＯ．３は連荘中に上級大当りがあり上級者が攻略法による遊技を行ったが、失敗等により余り効果が無かった場合を想定しており、ＮＯ．７は一般の遊技者が偶々オーバーフローにより出玉を得た場合を想定し、これを連荘中の他の大当りが「上級」か「一般」かにより区分けしている。
【００２８】
このように区分けすることで、従来は第２範囲のＴ１Ｙの平均だけを参照して、Ｔ１Ｙが高く大入賞口１３の入賞率を下げる必要があると判断し、結果、一般遊技者が遊技した場合に不満の残る入賞率としていたのが、第２範囲の「一般Ｔ１Ｙ」の平均を参照することで適正であると判断するようになり、誤った判断により一般の遊技者に不満の残る釘調整が行われることを防止出来る。
【００２９】
一方、第２範囲の「上級Ｔ１Ｙ」の平均を参照すれば、攻略法が実践された場合にどの程度の出玉となるのか、即ち遊技者の技術レベルの目星を付けることが出来る。この目星によりＴ１Ｙが少なければ攻略法を行うことを推奨して機種の興趣を高めるような運用を行えば良いし、多ければ攻略法を禁止するような運用を行えば良い。尚、禁止する場合、「上級」と判定した場合に遊技場従業員に対してその旨を報知することで、その禁止運用を適切にサポート出来る。この場合、上級率を参照することにより、どの程度、攻略法が実践されているのかも把握可能となる。
また、修正Ｔ１Ｙにより遊技情報の母体数が少なくなること無く、一般の遊技者が遊技した場合のＴ１Ｙを管理出来る。この場合、上級と判定したことを条件としてＴ１Ｙを修正するので、一般の遊技者が偶々オーバーフローした場合も考慮して修正Ｔ１Ｙを管理出来る。
【００３０】
このような実施形態によれば、次のような効果を奏することが出来る。
連荘中にＴ１セーフの多い上級大当りが発生した場合に、連荘中の他の大当りも上級者が遊技しているとして、上級者による大当り「上級」又は上級者以外による大当り「一般」を抽出してＴ１Ｙを管理するようにしたので、攻略を行って大当りセーフが多くなっているのか、釘調整が甘いことで大当りセーフが多くなっているのかや、攻略法を行った場合の遊技者の技術レベル等を容易に特定出来る。
Ｔ１セーフが一般範囲に属する大当りは同一連荘中に上級大当りがあっても「一般」と判定するようにしたので、連荘中に攻略法を実践するか否かを区分け出来、その判定精度がより高まる。
【００３１】
出玉範囲等で大当りを区分けし、出玉範囲２のみを対象として上級大当りを特定し、出玉範囲１については出玉範囲２の上級大当りの特定結果により「上級」とするようにしたので、出玉範囲１については、その出玉が少ないことから判定精度が落ちたり、発生頻度の少ない大当りについては連荘中に一度も発生しない等、判定精度が落ちる虞があるものの、出玉範囲２に対応して上級範囲が設定されることから煩雑な設定を行う必要なく、判定精度を保つことが可能となる。
【００３２】
上級率（「上級」÷全大当り）を平均Ｔ１Ｙと比較可能に出力するようにしたので、どの程度、攻略法による遊技が行われたかを把握した上で、Ｔ１Ｙを参照することが可能となる。
上級大当りを特定した場合に識別出力するようにしたので、攻略法を禁止する運用を遊技場が行った場合に、攻略法を行ったことを把握可能となり、その運用を適切にサポート可能となる。
【００３３】
（その他の実施形態）
連荘中に上級大当りがある場合に他の大当りを「上級」と判定したが、遊技者の遊技が終了するのを検知するまで「上級」と判定する期間を延長しても良い。例えばアウト信号により作動する所謂稼動タイマ（１８０秒程度）がタイムアップした場合や、遊技情報から持玉（売上玉＋セーフ−アウト）を特定して、その持玉がある状態で売上が発生した場合等の周知の客交替判定を採用しても良い。
【００３４】
連荘の判定として通常状態に戻るまでとしたが、大当りや特別状態の終了後に設定数分のスタートを特定するまで等、周知の連荘判定を採用しても良い。
一般範囲に属する場合に「一般」としたが、このような処理を必ずしも行う必要は無く、上級大当りが属する期間の大当りを全て「上級」と判定しても良い。また、上級特定について「予め設定される上級特定数特定した場合」とは実施形態に示した通り、１回以上、即ち、上級大当りが発生したか否かの概念も含む。
【００３５】
出玉範囲１について出玉範囲２により上級大当りを特定した場合に「上級」と判定したが、出玉範囲２と同様の処理を行っても良い。
修正Ｔ１ＹとしてＴ１Ｙを修正する場合に「上級」であることを条件として修正したが、無条件に基準セーフをＴ１セーフとして修正しても良い。また、出玉範囲２のみとする等、特定の大当りだけを修正対象としても良い。上級Ｔ１Ｙを修正する場合にＴ１セーフと基準セーフとの差分を大入賞口賞球数により除した値を示す数値は、ひねり打ちにより増加したアウトと想定出来るため、Ｔ１アウトに加算して修正Ｔ１Ｙを特定しても良い。例えば図４のＮＯ．４において大入賞口賞球数が１５である場合、（Ｔ１セーフ（２３２０）−基準セーフ（２１６０））÷大入賞口賞球数（１５）≒１１なので、基準セーフ（２１６０）−（Ｔ１アウト（２５０）＋増加分アウト（１１））＝修正Ｔ１Ｙ（１８９９）とする等。
【００３６】
出玉範囲による大当りの振分を出玉により振分けたが、大当りの発生期間（長さ）により大当りを振分けても良い。また、例えば出玉（例えば２００個まで）の少ない大当りである所謂突確大当りか否かは大当りの発生期間により振分、それ以外の大当りは出玉により振分ける等、両者を複合させて大当りを振分けても良い。また、大当りの振分自体を行わない遊技機１に適用しても勿論良く、この場合は出玉範囲等による大当りの振分を行う必要がなくなる。
【００３７】
図３等の設定は遊技場管理者が任意に設定しても良いし、予め管理装置の製造メーカ等にて設定しておいても良いし、外部（例えばチェーン店本部等）の管理サーバから設定情報をダウンロードして設定するようにしても良い。
対象となる遊技機としては、例示したパチンコ遊技機以外のパチンコ遊技機等、どのような遊技機を対象としても良い。また、遊技機内にて遊技媒体を循環させ、ポイントを付与することで収支が変動するような所謂封入式を対象としても勿論良く、この場合も考慮し、玉等の遊技媒体とポイントとを包含する遊技価値という表現を採用した。
【００３８】
例示した全ての遊技情報について遊技信号から直接的、或いは間接的に特定する等どのように特定しても良い。例えば大当り中の獲得価値とは大当り信号の出力中の出玉だけでなく、大当り信号の出力停止後に設けられる所謂遅延タイマの作動期間における出玉を含む遊技信号により間接的に特定出来る大当り中の獲得価値も含む。また、実施例上の数値や項目等は全て例示であり、どのような数値や項目等を採用しても良く、例示した各構成をどのように組合わせたり、採用しなかったりしても良い。更に、管理装置５が行う情報処理の一部を中継装置３等にて行う構成としても良い。
【符号の説明】
【００３９】
図面中、１は遊技機、２は貸出機、５は管理装置（遊技情報特定手段、遊技情報管理手段、連荘特定手段、大当り区分手段、抽出手段、出力手段、報知手段）である。
【図１】
0005932352.tif 000002
【図２】
0005932352.tif 000003
【図３】
0005932352.tif 000004
【図４】
0005932352.tif 000005